(57)【要約】【課題】複数の機器の状態表示状況を収集し、統一的に管理することのできる機器表示情報収集管理システムを提供する。【解決手段】画像データを作成するカメラ装置と、カメラ装置を測定対象機器に固定する固定部材と、を備える画像データ取得装置を複数備え、更に、モニタ装置に接続可能であって、画像データ取得装置から出力された測定対象機器の表示面を撮影した画像データと画像データを出力した画像データ取得装置の装置識別データとを関連付けてモニタ装置に出力する機器表示情報収集管理装置と、を備えた機器表示情報収集管理システムとする。【選択図】  図１
2017199330.tif 000002
【特許請求の範囲】
【請求項１】
画像データを作成するカメラ装置と、前記カメラ装置を測定対象機器に固定する固定部材と、を備える画像データ取得装置を複数備え、更に、
モニタ装置に接続可能であって、前記画像データ取得装置から出力された前記測定対象機器の表示面を撮影した前記画像データと当該画像データを出力した画像データ取得装置の装置識別データとを関連付けて前記モニタ装置に出力する機器表示情報収集管理装置と、を備えた機器表示情報収集管理システム。
【請求項２】
前記画像データ取得装置は、画像データを無線によって前記機器表示情報収集管理装置に出力する無線子機を備える請求項１記載の機器表示情報収集管理システム。
【請求項３】
前記画像データ取得装置は、前記測定対象機器の測定結果を表示する表示面と前記カメラ装置の間に配置された反射部材を備える請求項１記載の機器表示情報収集管理システム。
【請求項４】
前記機器表示情報収集管理装置は、前記画像データ取得装置が出力する画像データのうち、一部の領域のみ選択し、前記モニタ装置に出力する請求項１記載の機器表示情報収集管理システム。
【請求項５】
前記画像データ取得装置は、前記測定対象機器の表示面周囲の面に前記固定部材により固定されている請求項１記載の機器表示情報収集管理システム。
【発明の詳細な説明】
【技術分野】
【０００１】
本発明は、機器表示情報収集管理システムに関する。
【背景技術】
【０００２】
医療現場、特に外科手術室や集中治療室等では多種多様な医療機器が使用されているが、それらの操作や動作状況を統一的に管理する仕組みは現状存在しない。したがって、医療行為に専念する医師が各種機器の状態を確認するためには周囲の医療スタッフに口頭で問い合わせるなど手間をかける必要があり、円滑な医療行為を実現するうえで大きな障害となっている。
【０００３】
このような状況を解決するため、多種の医療機器間を統一的に通信するプロトコルの標準化も検討されているが、いまだ草案段階であり、実現には時間がかかる。
【０００４】
更には、医療機関が現在所有している機器群について、標準化通信対応機器に置き換えるまでには相当の年月を要する。
【０００５】
ところで、ＩｏＴ（物のインターネット）技術の発展により、様々なセンサや通信モジュールの小型化が進んでいる。例えば下記非特許文献１には、小型の筐体に機械的にボタンを押下するアクチュエータと、無線通信モジュール、バッテリーを内蔵した製品が開示されている。この技術では、機械的押しボタンの表面に上記製品を取り付けることで、無線通信で接続されたスマートフォン等から遠隔操作でボタンの押下を制御することができる。この技術により、本来通信機能を有していないあらゆる機器・ボタンの操作を無線通信での制御を可能とし、かつスマートフォン等で複数の制御を集中管理することが可能となっている。
【先行技術文献】
【非特許文献】
【０００６】
【非特許文献１】ｈｔｔｐｓ：／／ｗｗｗ．ｉｎｄｉｅｇｏｇｏ．ｃｏｍ／ｐｒｏｊｅｃｔｓ／ｍｉｃｒｏｂｏｔ−ｐｕｓｈ−ａ−ｒｏｂｏｔｉｃ−ｆｉｎｇｅｒ−ｆｏｒ−ｙｏｕｒ−ｂｕｔｔｏｎｓ＃／
【発明の概要】
【発明が解決しようとする課題】
【０００７】
しかしながら、上記ボタンの制御を可能とする製品が発案されている一方で、各種医療機器の状態表示状況を収集し、統一的に管理する技術・製品はいまだ存在していない。
【０００８】
そこで、本発明は、上記課題に鑑み、複数の機器の状態表示状況を収集し、統一的に管理することのできる機器表示情報収集管理システムを提供することを目的とする。
【課題を解決するための手段】
【０００９】
上記課題を解決する一の観点に係る機器表示情報収集管理システムは、画像データを作成するカメラ装置と、カメラ装置を測定対象機器に固定する固定部材と、を備える画像データ取得装置を複数備え、更に、モニタ装置に接続可能であって、画像データ取得装置から出力された測定対象機器の表示面を撮影した画像データと画像データを出力した画像データ取得装置の装置識別データとを関連付けてモニタ装置に出力する機器表示情報収集管理装置と、を備えていることを特徴とする。
【００１０】
また本観点において、画像データ取得装置は、画像データを無線によって機器表示情報収集管理装置に出力する無線子機を備えていることが好ましい。
【００１１】
また本観点において、画像データ取得装置は、測定対象機器の測定結果を表示する表示面とカメラ装置の間に配置された反射部材を備えることが好ましい。
【００１２】
また本観点において、機器表示情報収集管理装置は、画像データ取得装置が出力する画像データのうち、一部の領域のみ選択し、モニタ装置に出力することが好ましい。
【００１３】
また本観点において、画像データ取得装置は、測定対象機器の表示面周囲の面に固定部材により固定されていることが好ましい。
【発明の効果】
【００１４】
以上、本発明は、複数の機器の状態表示状況を収集し、統一的に管理することのできる機器表示情報収集管理システムとなる。
【図面の簡単な説明】
【００１５】
【図１】実施形態に係る機器表示情報収集管理システムの概略を示す図である。
【図２】固定部材及びカメラ装置の配置関係の例を示す図である。
【図３】カメラ装置と固定部材の間に部分反射部材を設けた場合の例を示す図である。
【図４】モニタ装置に表示される画像のイメージ図である。
【図５】モニタ装置に複数の画像を表示させた場合のイメージ図である。
【発明を実施するための最良の形態】
【００１６】
以下、本発明の実施形態について、図面を用いて詳細に説明する。ただし、本発明は多くの異なる形態による実施が可能であり、以下に示す実施形態、実施例の例示に限定されるものではない。
【００１７】
図１は、本実施形態に係る機器表示情報収集管理システム（以下「本システム」という。）１の概略を示す図である。本図で示す通り本システム１は、画像データを作成するカメラ装置２１と、カメラ装置２１を測定対象機器Ｄに固定する固定部材２２と、を備える画像データ取得装置２を複数備え、更に、モニタ装置Ｍに接続可能であって、画像データ取得装置２から出力された測定対象機器Ｄの表示面Ｆを撮影した画像データと画像データを出力した画像データ取得装置２の装置識別データとを関連付けてモニタ装置Ｍに出力する機器表示情報収集管理装置３と、を備えている。
【００１８】
本システムにおいて、情報収集対象となる機器（測定対象機器）Ｄは、表示面を備え、この表示面に測定等の結果等を表示させる機器であればよく、例えば医療用の測定装置であることは好ましい一例である。
【００１９】
また、本システムにおいて、上記のとおり画像データ取得装置２は、上記のとおり画像データを作成するカメラ装置２１と、カメラ装置２１を測定対象機器Ｄに固定するための固定部材２２と、を備えており、測定対象機器Ｄの表示面Ｆを撮影して画像データを作成することのできるものである。
【００２０】
より具体的に説明すると、本システムにおいて、画像データを作成する主要な構成はカメラ装置２１であって、カメラ装置２１は上記の通り画像データを作成することのできる装置である。またカメラ装置２１としては、時々刻々変化する機器の表示面に表示される値を情報として取得できるよう、時系列的に画像データを作成することができるいわゆるデジタルビデオカメラ装置であることは好ましい一例である。
【００２１】
また本システムにおいて、画像データ取得装置２は、カメラ装置２１を測定対象機器Ｄに固定するための固定部材２２を備えている。固定部材２２については特に限定されるわけではないが、両面テープ等の粘着性部材及び螺子等の固定部材の少なくともいずれかを有しており、この粘着性部材及び固定部材の少なくともいずれかによって測定対象機器Ｄの表示面Ｆに固定される。この場合において、固定部材２２は、カメラ装置２１が表示面Ｆの撮影できるよう表示面Ｆを向いているよう固定しておくことが好ましい。ただし、本実施形態において、カメラ装置２１によって測定対象機器Ｄの表示面Ｆを確認しやすくすることだけに着目し正面から撮影してしまうように配置すると、使用者は測定対象機器Ｄの表示面Ｆを直接目で見ることが困難になってしまうおそれがある。従って、測定対象機器Ｄの表示面Ｆの正面にはならないよう、固定部材２２及びカメラ装置２１を配置しておくことが好ましい。この場合の一例を図２に示しておく。なおまたこの場合において、カメラ装置２１としては、できる限り広い視野角を確保する観点から、超単焦点型レンズを有するカメラであることは好ましい一例である。
【００２２】
また、本システムにおいて、画像データ取得装置２は、測定対象機器Ｄの測定結果を表示する表示面とカメラ装置の間に配置された反射部材を備えることが好ましく、より好ましくは一部の光を通し、一部の光を反射する部分反射部材であることが好ましい。このようにすることで、カメラ装置の配置を必ずしも表示面に直接向ける必要がなく自由な向きに設定することが可能となるだけでなく、使用者が直接表示面を確認することができるようになる。この場合のイメージを図３に示しておく。
【００２３】
また本システムにおいて、画像データ取得装置２には、電池等の内部電源を備えていることがこのましい。内部電源を備えさせることで、外部に電源を求めることなく簡便な装置構成を実現することができる。
【００２４】
また、本システムにおいて、機器表示情報収集管理装置３は、上記の通り、モニタ装置Ｍに接続可能であって、画像データ取得装置２から出力された測定対象機器Ｄの表示面Ｆを撮影した画像データと画像データを出力した画像データ取得装置２の装置識別データとを関連付けてモニタ装置Ｍに出力することができるものである。
【００２５】
また本システムにおいて、機器表示情報収集管理装置３は、上記の通りモニタ装置Ｍに接続することができるものである。モニタ装置Ｍに接続することで、使用者は測定対象機器の表示面を直接見ることができない場合であっても、モニタ装置Ｍの表示を確認することでその表示面に表示された測定結果を確認することができるようになる。ここでモニタ装置としては、例えば液晶ディスプレイ等を例示することができるがこれに限定されない。
【００２６】
また本システムにおいて、機器表示情報収集管理装置３は、画像データ取得装置２に接続されており、この画像データ取得装置２から出力される画像データを受け付ける。この場合において、情報収集管理装置３は、画像データ取得装置と有線にて接続されていても良いが、画像データを無線によって機器表示情報収集管理装置に出力する無線子機を備えていることが好ましい。無線とすることで、装置周辺の不要な配線を抑えることができる。
【００２７】
また本システムにおいて、機器表示情報収集管理装置３は、画像データ取得装置２が出力する画像データのうち、一部の領域のみ選択し、モニタ装置に出力することが好ましい。このようにすることによって、使用者は余分な情報を見ることなく表示面にのみ集中することができるようになる。この場合のイメージ図を図４に示しておく。
【００２８】
また本システムにおいて、機器表示情報収集管理装置３は、画像データ取得装置２から出力された測定対象機器Ｄの表示面Ｆを撮影した画像データと画像データを出力した画像データ取得装置２の装置識別データとを関連付けてモニタ装置Ｍに出力する。このようにすることで、複数の測定対象機器に対応させることができるようになり、さらに、一つのモニタ装置Ｍの表示面において複数の画像を表示させつつ、装置識別情報を表示させることで、どの装置においてどのような表示となっているのかを確認しやすくしている。特に、上記のように、画像データ取得装置２が出力する画像データのうち、一部の領域のみ選択することで画像のサイズを削減し、多数の装置の表示面を一つの画面に表示させることができるようになる。この場合のイメージを図５に示しておく。
【００２９】
以上、本発明は、複数の機器の状態表示状況を収集し、統一的に管理することのできる機器表示情報収集管理システムとなる。
【図１】
2017199330.tif 000003
【図２】
2017199330.tif 000004
【図３】
2017199330.tif 000005
【図４】
2017199330.tif 000006
【図５】
2017199330.tif 000007